(57)【要約】      （修正有）【課題】多段に積み重なって高速で払い出されたメダルを確実に一段に均して円滑にメダルを搬送することができる遊技機のメダル搬送装置を提供する。【解決手段】メダル払出機につながる送出通路２を凹状に形成して、送出通路２の一側を斜めに低く傾斜させたうえに、この送出通路２に二段目以上のメダルを崩して前記一側からメダルを下方の排出通路４に排出するためのメダル均し部材３を揺動自在に配設した。メダル均し部材３は、揺動アーム３２の上端が、送出通路２の高い方の一側に揺動可能に軸着され、揺動アーム３２の下端に、送出通路面との間にメダルが一枚通過可能な隙間をおいてメダル均し部３３が設けられたものである。また、送出通路２の低い方の一側の高さをメダル一枚分の厚み以下としてある。【選択図】図１
2010176362.tif 000002
【特許請求の範囲】
【請求項１】
メダル払出機につながる送出通路を凹状に形成して、送出通路の一側を斜めに低く傾斜させたうえに、この送出通路に二段目以上のメダルを崩して前記一側からメダルを下方に排出するためのメダル均し部材を揺動自在に配設したことを特徴とする遊技機のメダル搬送装置。
【請求項２】
メダル均し部材は、揺動アームの上端が、送出通路の高い方の一側に揺動可能に軸着され、揺動アームの下端に、送出通路面との間にメダルが一枚通過可能な隙間をおいてメダル均し部が設けられている請求項１に記載の遊技機のメダル搬送装置。
【請求項３】
送出通路の低い方の一側の高さをメダル一枚分の厚み以下として、二段目以上のメダルが送出通路から排出できるようにした請求項１又は２に記載の遊技機のメダル搬送機。
【発明の詳細な説明】
【技術分野】
【０００１】
本発明は、２段以上に積み重なったメダルを一段に均して搬送するための、遊技機のメダル搬送装置に関するものである。
【背景技術】
【０００２】
スロットマシンなどの遊技機は遊技ホールにおいて遊技機島を形成して設置されているが、遊技機から排出されたメダルは遊技機島の一側のメダル払出機に回収された後に各遊技機に配給されて再び使用される。メダル払出機として、例えば特許文献１に示されているような回転円板を備えて高速でメダルを払い出すようにしたものがある。このメダル払出機においては、メダルの貯留ホッパーと、貯留ホッパー底部において回転自在に中心部を支持されて配設されたディスクと、該ディスクのディスク面に貫通して形成された複数のメダル受入穴と、受け入れたメダルをディスクから送出通路に送出する払出口とを備えている。
【０００３】
このような構成のメダル払出機においては、高速でメダルを払い出すために、メダルが２段以上に重なって排出されることがあった。このようにメダルが多段に重なって排出された場合には、送出通路の途中で詰まったりしてメダルの搬送が円滑に行なわれず、その結果遊技に支障を来すという問題があった。
【０００４】
積み重なったメダルを均して搬送するようにした従来のメダル搬送装置として、特許文献２、３に開示されたような、ベルトコンベア上に均しローラを設けたものがある。このものにおいては、多段に積み重なって搬送されてきたメダルを、搬送方向とは逆に回転するローラによって均すことができる。しかしながら回転ディスクから遠心力で高速で搬送されるメダルに対して均しローラでは十分追従できないので、依然としてメダルが詰まったりして払出しに支障を来すという問題があった。
【先行技術文献】
【特許文献】
【０００５】
【特許文献１】特開平９−３３０４４５号公報
【特許文献２】実開平１−９８６８４号公報
【特許文献３】特開平６−２１８１３４号公報
【発明の概要】
【発明が解決しようとする課題】
【０００６】
本発明は、上記した従来の問題点に鑑み、多段に積み重なって高速で払い出されたメダルを確実に一段に均して円滑に搬送することができる遊技機のメダル搬送装置を提供するためになされたものである。
【課題を解決するための手段】
【０００７】
上記の課題を解決するためになされた本発明の遊技機のメダル搬送装置は、メダル払出機につながる送出通路を凹状に形成して、送出通路の一側を斜めに低く傾斜させたうえに、この送出通路に二段目以上のメダルを崩して前記一側からメダルを下方に排出するためのメダル均し部材を揺動自在に配設したことを特徴とするものである。
【０００８】
上記した発明において、メダル均し部材は、揺動アームの上端が、送出通路の高い方の一側に揺動可能に軸着され、揺動アームの下端に、送出通路面との間にメダルが一枚通過可能な隙間をおいてメダル均し部が設けられたものとすることができる。また、送出通路の低い方の一側の高さをメダル一枚分の厚み以下として、二段目以上のメダルが送出通路から排出できるようにするのが望ましい。
【発明の効果】
【０００９】
本願発明のメダル搬送装置は、積み重なった二段目以上のメダルがメダル均し部材に衝突したときに崩されて送出通路の外部に落下されるので、メダルを一段に均して円滑に送出することができるという利点がある。
【図面の簡単な説明】
【００１０】
【図１】本発明の遊技機のメダル搬送装置の要部を示す斜視図である。
【図２】本発明の遊技機のメダル搬送装置の要部を示す平面図である。
【図３】メダル均し部材の側面図である。
【発明を実施するための形態】
【００１１】
以下に、本発明の実施形態について説明する。
図１、２は、本発明の遊技機のメダル搬送装置の要部を示す図であって、１はメダル払出機、２は送出通路、３はメダル均し部材、４は２段目以上の均されたメダルの排出通路である。
【００１２】
メダル払出機１は、従来の回転ディスクを備えたものを使用することができる。すなわち、当該払出機１は、受入口１１からメダルを受け入れるメダルの貯留ホッパー１２と、貯留ホッパー１２の斜めに傾斜する底部において回転自在に中心部を支持されて配設された回転ディスク（図示していない）と、該回転ディスクのディスク面に貫通して形成された複数のメダル受入穴と、受け入れたメダルを回転ディスクから送出通路２に送出する払出口１３とを備えている。このメダル払出機１においては、回転ディスクがモーターにより回転されることによってメダル受入穴に受け入れたメダルを高速で払出口１３から送り出すことができる。なお、本発明においては、高速でメダルを払い出すことができれば特にメダル払出機の形式に限定はない。
【００１３】
送出通路２はメダル払出機１の排出口１３につながっており、アッパーガイド５ａとロアガイド５ｂまたはアッパーガイド５ｃとロアガイド６とにより凹状に形成されている。
【００１４】
また、送出通路２は遠心力で放出されたメダルが流下する方向に下方に向けて湾曲して形成されており、この送出通路２はロアガイド５ｂ、６の側の一側を、アッパーガイド５ａ、５ｃに対して低くして通路面が傾斜して形成されている。そして、アッパーガイド５ｃにはメダル均し部材３が軸着されている。
【００１５】
メダル均し部材３は、図３に示すようにアッパーガイド５ｃに立設された支軸３１と、支軸２に揺動自在に軸着された揺動アーム３２と、揺動アーム３２の下端に取り付けられた円柱状のメダル均し部３３とからなる。メダル均し部３３と送出通路面との間の隙間Ｓはメダル一枚分の厚み以下としてあるので、２段目以上のメダルはこの隙間Ｓを通過することはできない。
【００１６】
そして、メダル排出通路につながるロアガイド６の厚みは、メダル一枚分の厚み以下としてあるので、メダル均し部材３に衝突した二段目以上のメダルは、ロアガイド６の上を通過して排出通路４に流れ込み、再びメダル払出機１に回収される。
【００１７】
アッパーガイド５ａ、５ｃ、およびロアガイド５ｂの厚みは、少なくともメダル一枚分の厚み以上としてあるので、回転ディスクの遠心力により放出される一段目のメダルがこれらのガイドに衝突しても、送出通路２から逸脱することなく各遊技機まで一枚ずつ搬送することができる。
【００１８】
メダル均し部材３は、図２に示すように、送出通路２に２個所設けることができる。このように配置することによって、一番目のメダル均し部材３がメダルの衝突の勢いで揺動したときにも、二番目のメダル均し部材３にて連続して払い出されて来た積み重なったメダルを一段に均すことができる。よって、メダルの均し効果をさらに確実性をもって高めることができる。
【符号の説明】
【００１９】
１  メダル払出機、２  送出通路、３  メダル均し部材、４  排出通路、３１  支軸、３２  揺動アーム、３３  メダル均し部、Ｍ  メダル、
【図１】
2010176362.tif 000003
【図２】
2010176362.tif 000004
【図３】
2010176362.tif 000005